(57)【特許請求の範囲】
【請求項１】
三紙片を重ね合わせてなり、重ね合わせ三紙片の各重ね合わせ面を、圧を加えて接着する接着剤で接着するとともに、少なくとも一方の前記重ね合わせ接着面は剥離可能に接着し、この剥離可能な重ね合わせ面の少なくとも一面には隠蔽すべき情報を表示した隠蔽情報記入部が設けられ、重ね合わせた三紙片のうち両外側の二紙片には、互いに対応する位置に切り欠き部を設けたことを特徴とする隠蔽情報所持体。
【発明の詳細な説明】
【０００１】
【発明の属する技術分野】
本発明は、隠蔽すべき情報（以下隠蔽情報という）を表示して隠蔽状態で通知する、葉書、各種カード等の隠蔽情報所持体に関し、特に、重ね合わせ用の三紙片からなり、各重ね合わせ面を、圧を加えて接着する接着剤で接着する隠蔽情報所持体に関する。
【０００２】
【従来の技術】
従来から、三紙片を重ね合わせ、各重ね合わせ面を、感圧性接着剤や熱圧着する接着剤のような、圧を加えて接着する接着剤で接着するとともに、重ね合わせた紙片に、紙片の端縁と接しないように設けた切り欠き部である窓部、あるいは、紙片の端縁と接するように設けた切り欠き部であるコーナーカットや段差部（重ね合う紙片の一方の幅を短く形成して設ける帯状の切り欠き部）を設けた隠蔽情報所持体は知られている。
【０００３】
【発明が解決しようとする課題】
しかしながら、従来のこの種隠蔽情報所持体では、各重ね合わせ面を接着する際に加える圧が、切り欠き部に対応する部分の段差により重ね合わせた他の紙片に充分には加わらないので、作成した隠蔽情報所持体の切り欠き部に対応する重ね合わせ面を確実に接着することができず、この切り欠き部対応部分が非接着状態のままであったり、一旦接着しても容易に剥離して非接着状態になるという事態を生じている。そして、切り欠き部が窓部の場合には、窓部に対応する非接着部分が膨らんでしまうという不都合を生じる。また、切り欠き部がコーナーカットや段差部の場合には、コーナーカットや段差部に対応する非接着部分は通常折り用ミシン目を介して一体化しているが、この折り用ミシン目が破断した場合には、切り欠き部対応部分が剥離状態になるという不都合がある。本発明はこのような不都合を解消した隠蔽情報所持体を提供することを目的とする。
【０００４】
【課題を解決するための手段】
上述した目的を達成するために本発明の請求項１に記載した隠蔽情報所持体は、三紙片を重ね合わせてなり、重ね合わせ三紙片の各重ね合わせ面を、圧を加えて接着する接着剤で接着するとともに、少なくとも一方の前記重ね合わせ接着面は剥離可能に接着し、この剥離可能な重ね合わせ面の少なくとも一面には隠蔽すべき情報を表示した隠蔽情報記入部が設けられ、重ね合わせた三紙片のうち両外側の二紙片には、互いに対応する位置に切り欠き部を設けたことを特徴とする。
【０００５】
【発明の実施形態】
以下、本発明を隠蔽葉書に適用した場合の好適な実施形態について、添付図面に基づき詳細に説明する。ここにおいて、図１〜図８は第１の実施形態を示し、図１は隠蔽葉書の表面側の概略的な平面図、図２はその裏面側の概略的な平面図、図３は図１のＡ−Ａ線断面図、図４は隠蔽葉書の表面側コーナーカット部分の概略的な部分拡大斜視図、図５は隠蔽葉書の裏面側コーナーカット部分の概略的な部分拡大斜視図、図６は隠蔽葉書用シートの表面側の概略的な平面図、図７は同じく裏面側の概略的な平面図、図８は図６のＢ−Ｂ線断面図、図９〜図１５は第２の実施形態を示し、図９は隠蔽葉書の表面側の概略的な平面図、図１０はその裏面側の概略的な平面図、図１１は図９のＣ−Ｃ線断面図、図１２は隠蔽葉書の表面側コーナーカット部分の概略的な部分拡大斜視図、図１３は同じく隠蔽葉書の裏面側コーナーカット部分の概略的な部分拡大斜視図、図１４は隠蔽葉書用シートの表面側の概略的な平面図、図１５は同じく裏面側の概略的な平面図である。
【０００６】
まず、図１〜図８に基づき本発明の第１の実施形態であるコーナーカットを設けた隠蔽葉書について説明する。図６〜図８に示すように、隠蔽葉書１（図１〜図３参照）を作成するための隠蔽葉書用シート１１は、折り部たる折り兼切り用のミシン目２と折り用のミシン目３を境として、ともに葉書大の上紙片４、中紙片５、下紙片６を連接してなる。また、前記各ミシン目２，３でＺ字状に折り重ねた場合に、中紙片５を挟んで、図３における上下に対応する両外側の前記上紙片４の右下隅部と前記下紙片６の右下隅部には、それぞれ直角三角形状のコーナーカット７，８を設けている。
【０００７】
図８に示すように、隠蔽葉書用シート１１の表面側のうち、重ね合わせ面となる中紙片５と下紙片６の表面には、通常では接着せず所定の圧を加えると接着可能となり、接着後に剥離可能で、印字あるいは印刷が可能な感圧性接着剤９を全面的に塗布し、前記隠蔽葉書用シート１１の裏面側のうち、重ね合わせ面となる上紙片４と中紙片６の裏面には、同じく通常では接着せず所定の圧を加えると接着可能となり、接着後に剥離可能で、印字あるいは印刷が可能な感圧性接着剤１０を全面的に塗布している。
【０００８】
上述した感圧性接着剤９，１０としては、印字、印刷が可能であり、感圧性で一旦接着すると再剥離不能な非剥離性の接着剤基剤に、この接着剤基剤に対して非親和性を示す微粒状充てん剤を配合してなるものが好適である。前記接着剤基剤としては、従来用いられている通常の感圧性接着剤でよいが、特に挙げれば、天然ゴムにスチレンとメタクリル酸メチルとをグラフト共重合させて得られた天然ゴムラテックスが、耐ブロッキング性、耐熱性、耐摩耗性等の点で好適である。
【０００９】
一方、前記微粒状充てん剤としては、前記接着剤基剤との親和力が小さいもの、例えば、酸化亜鉛、酸化チタン、炭酸カルシウム、カオリン、活性白土、球状アルミナ、小麦デンプン、シリカ、ガラス粉末、シラスバルーン等が用いられる。これらの材料は、単独でも、複数組み合わせてもよいが、特に、シリカと他の適宜な充てん剤との組み合わせが好適である。また、粒径の異なる２種類以上を組み合わせると、接着剤塗布面を凹凸状に形成しやすいので、剥離性能が向上する。シリカを添加すると、接着剤の塗膜を強化しうるとともに、その多孔質性により、接着剤が表面に付着しやすいので、接着力や剥離力を調整しやすいという利点がある。また、シリコーンオイルを用いているプリンタで、ノンインパクトプリンタ方式で印字した場合でも、シリカがシリコーンオイルを吸収するので、接着剤がシリコーンオイルにより接着しなくなることもない。
【００１０】
上述した微粒状充てん剤の配合割合によって、感圧性接着剤９，１０による接着面の剥離強度を調整する。また、微粒状充てん剤の配合割合による調整に加えて、感圧性接着剤９，１０を網点状に塗布したり、塗布厚を調整したり、あるいは地紋印刷を施して調整を行うと、剥離強度の調整はより容易となる。感圧性接着剤９，１０の具体例としては、天然ゴム１００重量部に対し、スチレン２重量部とメタクリル酸１０重量部とをグラフト共重合させて得られた天然ゴムラテックスに、テルペン樹脂系粘着付与剤５重量部に対し、平均粒径５μｍのシリカゲル２０重量部を添加したものを加えてなるものが好適である。
【００１１】
そして、図６に示すように、上紙片４の表面側は宛名情報１２を印字する折り重ねた時の表出面であり、中紙片５と下紙片６の表面側は互いに折り重ねられる重ね合わせ面で、前記中紙片５の重ね合わせ面には通知内容に関する説明文１３をあらかじめ印刷する一方、前記下紙片６の重ね合わせ面には、コーナーカット８と対応しない位置に、隠蔽情報である口座番号１４、名義人名１５、満期日１６、預金金額１７をそれぞれ記入するための隠蔽情報記入部である口座番号記入欄１８、名義人名記入欄１９、満期日記入欄２０、預金金額記入欄２１を印刷によりあらかじめ設けている。また、前記上紙片４の表面側には、コーナーカット７に向けた矢印と「ここからはがして下さい」という文からなる剥離開始端指示表示２４があらかじめ印刷されている。
【００１２】
一方、図７に示すように、下紙片６の裏面側は差出人情報２２をあらかじめ印刷する折り重ねた時の表出面であり、上紙片４と中紙片５の裏面側は互いに折り重ねられる重ね合わせ面で、これら重ね合わせ面には一般的な案内文２３をあらかじめ印刷している。また、前記下紙片６の裏面側には、コーナーカット８に向けた矢印と「ここからはがして下さい」という文からなる剥離開始端指示表示２５があらかじめ印刷されている。
【００１３】
次に、上述のように構成した隠蔽葉書用シート１１から図１〜図３に示す隠蔽葉書１を作成する手順について説明する。まず、各宛名人に共通な情報１３，２２，２３，２４，２５と記入欄１８，１９，２０，２１があらかじめ印刷された隠蔽葉書用シート１１を所定方向に移送しながら、図示していないコンピュータの出力装置であるプリンタ装置によって、図６に示すように、前記コンピュータにあらかじめ入力しておいた宛名情報１２とこの宛名人に対応する口座番号１４、名義人名１５、満期日１６、預金金額１７を、それぞれ記入すべき所定の口座番号記入欄１８、名義人名記入欄１９、満期日記入欄２０、預金金額記入欄２１に印字する。
【００１４】
続いて、折り重ね装置（図示せず）によって、各重ね合わせ面が対接するように、隠蔽用葉書シート１１を各ミシン目２，３でＺ字状に三つ折りし（図３参照）、宛名情報１２と差出人情報２２を表出する一方、口座番号１４、名義人名１５、満期日１６、預金金額１７の各隠蔽情報を隠蔽して外部からは視認不能な状態とする。次に、上下一対の圧着ローラを備えた圧着装置（図示せず）により各感圧性接着剤９，１０の接着条件である所定の圧を付与し、重ね合わせ面を剥離可能に接着して隠蔽葉書１とする。
【００１５】
この圧着装置による圧着動作において、上紙片４のコーナーカット７に対応する中紙片５と下紙片６の重ね合わせ面には充分な圧がかからないが、このコーナーカット７に上下に対応して下紙片６のコーナーカット８が設けられているので、中紙片５と下紙片６の重ね合わせ面に非接着部分や、容易に剥離する接着部分が生ずることはなく、重ね合わせ面において確実な接着が行われる。
【００１６】
このようにして作成した図１〜図３に示す隠蔽葉書１は、一般の葉書と同様に投函可能である。一方、この隠蔽葉書１を受領した宛名人は、剥離開始端指示表示２５にしたがい、コーナーカット８から中紙片５と下紙片６とを相対的に引き離すと、これら各紙片５，６の重ね合わせ接着面が剥離し、隠蔽されていた口座番号１４、名義人名１５、満期日１６、預金金額２１の各隠蔽情報と説明文１３が露出して視認可能な状態となる（図６参照）。また、剥離開始端指示表示２４にしたがい、コーナーカット７からミシン目２を破断しつつ上紙片４と中紙片５とを相対的に引き離すと、これら各紙片４，５の重ね合わせ接着面が剥離し、隠蔽されていた案内文２３が露出して視認可能な状態となる（図７参照）。
【００１７】
続いて、図９〜図１５に基づき本発明の第２の実施形態である窓部を設けた隠蔽葉書について説明する。図１４及び図１５に示すように、隠蔽葉書３１（図９〜図１１参照）を作成するための隠蔽葉書用シート４１は、折り部たる折り兼切り用のミシン目３２と折り用のミシン目３３を境として、ともに葉書大の上紙片３４、中紙片３５、下紙片３６を連接してなる。また、前記各ミシン目３２，３３でＺ字状に折り重ねた場合に中紙片３５を挟んで上下に対応する、前記上紙片３４の下部と前記下紙片３６の下部には、それぞれ長方形状の窓部３７，３８を設け、前記上紙片３４と前記下紙片３６の右下隅部には、それぞれ直角三角形状のコーナーカット３９，４０を設けている。
【００１８】
図１１で理解できるように、隠蔽葉書用シート４１の表面側のうち、重ね合わせ面となる中紙片３５と下紙片３６の表面には、通常では接着せず所定の圧を加えると接着可能となり、接着後に剥離可能で、印字あるいは印刷が可能な感圧性接着剤４２を全面的に塗布し、前記隠蔽葉書用シート４１の裏面側のうち、重ね合わせ面となる上紙片３４と中紙片３６の裏面には、同じく通常では接着せず所定の圧を加えると接着可能となり、接着後に剥離可能で、印字あるいは印刷が可能な感圧性接着剤４３を全面的に塗布している。これら感圧性接着剤４２，４３としては、上述した第１の実施形態における感圧性接着剤９，１０と同様のものを用いればよい。
【００１９】
そして、図１４に示すように、上紙片３４の表面側は宛名情報４４を印字する折り重ねた時の表出面であり、互いに折り重ねられる重ね合わせ面である中紙片３５と下紙片３６の表面側には、前記中紙片３５には通知内容に関する説明文４５をあらかじめ印刷するとともに、窓部３８に対応する位置に「重要なお知らせがあります」との注意文４６をあらかじめ印刷している。一方、前記下紙片３６の重ね合わせ面には、窓部３８及びコーナーカット４０に対応しない位置に、隠蔽情報である口座番号４７、名義人名４８、満期日４９、預金金額５０をそれぞれ記入するための隠蔽情報記入部である口座番号記入欄５１、名義人名記入欄５２、満期日記入欄５３、預金金額記入欄５４を印刷によりあらかじめ設けている。また、前記上紙片４の表面側には、コーナーカット３９に向けた矢印と「ここからはがして下さい」という文からなる剥離開始端指示表示５５をあらかじめ印刷している。
【００２０】
一方、図１５に示すように、下紙片３６の裏面側は折り重ねた時の表出面であり、コーナーカット４０に向けた矢印と「ここからはがして下さい」という文からなる剥離開始端指示表示５６をあらかじめ印刷している。上紙片３４と中紙片３５の裏面側は互いに折り重ねられる重ね合わせ面で、これら重ね合わせ面には一般的な案内文５７をあらかじめ印刷するとともに、前記中紙片３５の窓部３８に対応する位置には、差出人情報５８をあらかじめ印刷している。
【００２１】
次に、上述のように構成した隠蔽葉書用シート４１から図９〜図１１に示す隠蔽葉書３１を作成する手順について説明する。まず、各宛名人に共通な情報４５，４６，５１，５２，５３，５４，５５，５６，５７，５８があらかじめ印刷された隠蔽葉書用シート４１を所定方向に移送しながら、図示していないコンピュータの出力装置であるプリンタ装置によって、図１４に示すように、前記コンピュータにあらかじめ入力しておいた宛名情報４４とこの宛名人に対応する口座番号４７、名義人名４８、満期日４９、預金金額５０を、それぞれ記入すべき所定の口座番号記入欄５１、名義人名記入欄５２、満期日記入欄５３、預金金額記入欄５４に印字する。
【００２２】
続いて、折り重ね装置（図示せず）によって、各重ね合わせ面が対接するように、隠蔽用葉書シート４１を各ミシン目３２，３３でＺ字状に三つ折りし（図１１参照）、宛名情報４４を表出し、注意文４６と差出人情報２２を対応する窓部３８，３７から露出する一方、口座番号４７、名義人名４８、満期日４９、預金金額５０の各隠蔽情報を隠蔽して外部からは視認不能な状態とする。次に、上下一対の圧着ローラを備えた圧着装置（図示せず）により各感圧性接着剤４２，４３の接着条件である所定の圧を付与し、重ね合わせ面を剥離可能に接着して隠蔽葉書３１とする。
【００２３】
この圧着装置による圧着動作において、上紙片３４の窓部３７及びコーナーカット３９に対応する中紙片３５と下紙片３６の重ね合わせ面には充分な圧がかからないが、この窓部３７及びコーナーカット３９に上下に対応する下紙片３６の部分には、窓部３８及びコーナーカット４０が設けられているので、中紙片３５と下紙片３６の重ね合わせ面に非接着部分や、容易に剥離する接着部分が生ずることはなく、重ね合わせ面において確実な接着が行われる。
【００２４】
このようにして作成した図９〜図１１に示す隠蔽葉書３１は、一般の葉書と同様に投函可能である。一方、この隠蔽葉書３１を受領した宛名人は、剥離開始端指示表示５６にしたがい、コーナーカット４０から中紙片３５と下紙片３６とを相対的に引き離すと、これら各紙片３５，３６の重ね合わせ接着面が剥離し、隠蔽されていた口座番号４７、名義人名４８、満期日４９、預金金額５０の各隠蔽情報と説明文４５が露出して視認可能な状態となる（図１４参照）。また、剥離開始端指示表示５５にしたがい、コーナーカット３９からミシン目３２を破断しつつ上紙片３４と中紙片３５とを相対的に引き離すと、これら各紙片３４，３５の重ね合わせ接着面が剥離し、隠蔽されていた案内文５７が露出して視認可能な状態となる（図１５参照）。
【００２５】
なお、本発明は上述した各実施形態に限定されるものではなく、例えば、隠蔽葉書１，３１の重ね合わせ状態は、Ｚ字状に三つ折りするほか、中紙片５，３５の同一面側に上紙片４，３４と下紙片６，３６を順次折り重ねたり、二つ折りした重ね合わせ紙片に他の紙片を重ね合わせたり、３枚の独立した紙片を重ね合わせる状態でもよい。また、剥離可能に接着するための感圧性接着剤９，１０，４２，４３は重ね合わせ面の双方に限らず、いずれか一方のみに設けてもよいし、剥離可能に接着する重ね合わせ面と同一面側の表出面にも及ぶよう全面的に設けてもよい。さらに、感圧性接着剤９，１０あるいは感圧性接着剤４２，４３は、それぞれいずれか一方が非剥離性の接着剤基材に、これに対して非親和性を示す微粒状充てん剤を配合した剥離可能な接着剤であれば、他方は非剥離性の接着剤のみからなる接着力の強い接着剤であってもよく、この場合には、重ね合わせ面の一方には情報を表示しないで、前記接着力の強い接着剤により剥離不能に接着するものである。
【００２６】
さらにまた、切り欠き部は、コーナーカット８，９，３９，４０や窓部３７，３８のほか、重ね合う紙片のうち各外側の紙片４，３４及び下紙片６，３６の幅を短く形成して設ける帯状の切り欠き部である段差部でもよい。但し、この段差部は、二つ折りした下紙片に他の紙片を重ね合わせたり、３枚の独立紙片を重ね合わせる場合に設けるもので、三つ折り紙片の場合に設けることはない。またさらに、コーナーカット８，９，３９，４０は常に、剥離開始端となる必要はなく、他の部分から剥離することはもちろん、コーナーカット８，９，３９，４０を設けた重ね合わせ接着面のいずれかが情報を表示しない剥離不能な接着面であってもよい。また、コーナーカット８，９，３９，４０や窓部３７，３８、あるいは段差部を設ける位置が図示したものに限らないことはもちろんである。加えて、本発明を隠蔽葉書１，３１以外にも、重ね合わせ面を持つ各種カードに適用できることはいうまでもない。
【００２７】
【発明の効果】
以上説明したところで明らかなように、本発明によれば、切り欠き部を重ね合わせ時に両外側となる上下紙片の中紙片を挟んで上下に対応する位置に設けることにより、充分な圧が加わらないことに起因する重ね合わせ面の非接着状態や、一旦は接着しても剥離し易い状態が生ずることを防止し、重ね合わせ面を確実に接着できるという効果を奏する。
【図面の簡単な説明】
【図１】第１実施形態の隠蔽葉書の表面側の概略的な平面図。
【図２】同じく隠蔽葉書の裏面側の概略的な平面図。
【図３】同じく図１のＡ−Ａ線断面図。
【図４】同じく隠蔽葉書の表面側コーナーカット部分の概略的な部分拡大斜視図。
【図５】同じく隠蔽葉書の裏面側コーナーカット部分の概略的な部分拡大斜視図。
【図６】同じく隠蔽葉書用シートの表面側の概略的な平面図。
【図７】同じく裏面側の概略的な平面図。
【図８】同じく図６のＢ−Ｂ線断面図。
【図９】第２実施形態の隠蔽葉書の表面側の概略的な平面図。
【図１０】同じく隠蔽葉書の裏面側の概略的な平面図。
【図１１】同じく図９のＣ−Ｃ線断面図。
【図１２】同じく隠蔽葉書の表面側コーナーカット部分の概略的な部分拡大斜視図。
【図１３】同じく隠蔽葉書の裏面側コーナーカット部分の概略的な部分拡大斜視図。
【図１４】同じく隠蔽葉書用シートの表面側の概略的な平面図。
【図１５】同じく裏面側の概略的な平面図。
【符号の説明】
１，３１      隠蔽葉書
２，３２      折り兼切り用ミシン目
３，３３      折り用ミシン目
４，３４      上紙片
５，３５      中紙片
６，３６      下紙片
７，８，３９，４０      コーナーカット
９，１０，４２，４３      感圧性接着剤
１１，４１      隠蔽葉書用シート
１４，４７      口座番号
１５，４８      名義人名
１６，４９      満期日
１７，５０      預金金額
１８，５１      口座番号記入欄
１９，５２      名義人名記入欄
２０，５３      満期日記入欄
２１，５４      預金金額記入欄
３７，３８      窓部
【図１】
0003615837.tif 000002
【図２】
0003615837.tif 000003
【図３】
0003615837.tif 000004
【図４】
0003615837.tif 000005
【図５】
0003615837.tif 000006
【図６】
0003615837.tif 000007
【図７】
0003615837.tif 000008
【図８】
0003615837.tif 000009
【図９】
0003615837.tif 000010
【図１０】
0003615837.tif 000011
【図１１】
0003615837.tif 000012
【図１２】
0003615837.tif 000013
【図１３】
0003615837.tif 000014
【図１４】
0003615837.tif 000015
【図１５】
0003615837.tif 000016